【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
データの送信要求が発生した際、通信チャンネルが空いているか否かを判定して、前記通信チャンネルが空いているときに無線によりランダム送信を行う無線通信装置において、
予め決められた定期送信一周期内に割り当てられた期間を利用してデータの定期送信を行う外部の通信装置から、前記通信チャンネルを利用して送信される定期送信期間を表す定期送信情報と送信時刻を受信可能な受信手段と、
自身の時計の時刻と前記受信手段より受信した前記送信時刻に基づき、前記受信手段により受信した前記定期送信情報から得られる前記定期送信期間と前記ランダム送信の実行を禁止するランダム送信禁止期間とを同期させる同期制御手段と、
前記ランダム送信禁止期間を設定する設定手段と、
を備え、
前記同期制御手段により同期させ前記設定手段により設定した前記ランダム送信禁止期間において前記ランダム送信の実行を禁止することを特徴とする無線通信装置。
【請求項２】
所定の通信チャンネルを利用して、予め決められた定期送信一周期内に割り当てられた期間を利用して無線送信を行う定期送信機能を有し、定期送信期間を表す定期送信情報に送信時刻を付与してなる送信データの定期送信を行う第１通信装置と、
データの送信要求が発生した際、前記通信チャンネルが空いているか否かを判定して、前記通信チャンネルが空いているときに無線によりランダム送信を行うランダム送信機能を有し、前記ランダム送信の実行を禁止するランダム送信禁止期間を設定してランダム送信の実行を禁止する第２通信装置と、
が混在する無線通信システムであって、
前記第２通信装置は、
前記第１通信装置から定期送信される前記送信データを受信する受信手段と、
自身の時計の時刻と前記受信手段より受信した前記送信時刻に基づき、前記受信した前記定期送信情報から得られる前記定期送信期間と前記ランダム送信禁止期間とを同期させる同期制御手段と、
前記ランダム送信禁止期間を設定するランダム送信禁止期間設定手段と、
前記同期制御手段により同期させ前記ランダム送信禁止期間設定手段により設定した前記ランダム送信禁止期間において前記ランダム送信の実行を禁止するランダム送信禁止手段と
を備えることを特徴とする無線通信システム。
【請求項３】
前記同期制御手段は、自身の時計から受信時刻を読み出し、その読み出した受信時刻と前記受信した前記送信時刻との差に基づき、前記自身の時計の時刻を補正する時刻補正手段を有することを特徴とする請求項１に記載の無線通信装置。
【請求項４】
前記第１通信装置は、自身の時計から読み出した送信時刻を前記定期送信情報に付与する送信時刻付与手段を有し、
前記第２通信装置は、自身の時計から受信時刻を読み出し、その読み出した受信時刻と前記受信手段より受信した前記送信時刻との差に基づき、前記時計の時刻を補正する時刻補正手段を有する
ことを特徴とする請求項２に記載の無線通信システム。
【請求項５】
前記各通信装置の時計は、前記定期送信の一周期の整数倍の時間を一周期として時刻を計時することを特徴とする請求項２または４に記載の無線通信システム。
【請求項６】
前記第１通信装置は、他の第１通信装置と共通の外部信号に基づき、前記定期送信の一周期の整数倍の時間をカウントして、自身の時計をリセットする第１計時制御手段を備え、
前記第２通信装置は、自身の時計による計時動作を監視して、前記定期送信の一周期の整数倍の時間を計時する度に当該時計をリセットする第２計時制御手段を備えたこと
を特徴とする請求項５に記載の無線通信システム。
【請求項７】
前記第１計時制御手段は、前記外部信号が入力されないときには、自身の時計による計時動作を監視して、前記定期送信の一周期の整数倍の時間を計時する度に当該時計をリセットすることを特徴とする請求項６に記載の無線通信システム。
【請求項８】
請求項２、４乃至７の何れか一つに記載の無線通信システムにおいて、
定期送信機能を有する第１通信装置として用いられる通信装置であって、
送信データを所定の通信チャンネルでの送信信号に変換して無線送信させる変調処理手段と、
該変調処理手段に送信データを出力するデータ送信手段と、
定期送信期間を表す定期送信情報が記憶された記憶手段と、
該記憶手段に記憶された定期送信情報に基づき、前記データ送信手段に送信データの出力を許可する定期送信期間を決定し、該定期送信期間を前記データ送信手段に通知する定期送信許可手段と、
を備え、
前記データ送信手段は、前記定期送信許可手段から通知された定期送信期間を、当該通信装置に設けられた時計に基づき検知して、前記送信データを前記変調処理手段に出力すること
を特徴とする通信装置。
【請求項９】
請求項２、４乃至７の何れか一つに記載の無線通信システムにおいて、
ランダム送信機能を有する第２通信装置として用いられる通信装置であって、
送信データを所定の通信チャンネルでの送信信号に変換して無線送信させる変調処理手段と、
データの送信要求が発生した際、前記通信チャンネルが空いているか否かを判定して、前記通信チャンネルが空いているときに、前記変調処理手段に送信データを出力するデータ送信手段と、
他の通信装置からの送信信号を受信して復調する復調処理手段と、
該復調手段からの復調信号の中から受信データを抽出するデータ受信手段と、
定期送信機能を有する第１通信装置の定期送信期間を表す定期送信情報が記憶された記憶手段と、
該記憶手段に記憶された定期送信情報に基づき、前記データ送信手段からの送信データの出力を禁止するランダム送信禁止期間を決定し、該ランダム送信禁止期間を前記データ送信手段に通知するランダム送信禁止手段と、
を備え、
前記データ送信手段は、前記ランダム送信禁止手段から通知されたランダム送信禁止期間を、当該通信装置に設けられた時計に基づき検知して、前記変調処理手段に送信データを出力するのを停止すること
を特徴とする通信装置。
【請求項１０】
前記データ受信手段にて、他の通信装置から送信された定期送信情報が抽出されると、該定期送信情報を前記記憶手段に記憶する定期送信情報記憶手段を備えたことを特徴とする請求項９に記載の通信装置。
【手続補正２】
【補正対象書類名】明細書
【補正対象項目名】０００９
【補正方法】変更
【補正の内容】
【０００９】
かかる目的を達成するためになされた請求項１に記載の無線通信装置によれば、データの送信要求が発生した際、通信チャンネルが空いているか否かを判定して、通信チャンネルが空いているときに無線によりランダム送信を行う無線通信装置において、予め決められた定期送信一周期内に割り当てられた期間を利用してデータの定期送信を行う外部の通信装置から、前記通信チャンネルを利用して送信される定期送信期間を表す定期送信情報と送信時刻を受信可能な受信手段と、自身の時計の時刻と前記受信手段より受信した送信時刻に基づき、受信手段により受信した定期送信情報から得られる定期送信期間とランダム送信の実行を禁止するランダム送信禁止期間とを同期させる同期制御手段と、ランダム送信禁止期間を設定する設定手段と、を備え、同期制御手段により同期させ設定手段により設定したランダム送信禁止期間においてランダム送信の実行を禁止することを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
ここで、請求項１に記載の無線通信装置において、当該無線通信装置に設けられたと時計の時刻と外部の通信装置から送信される送信時刻とにずれが生じると、定期送信期間とランダム送信禁止期間とが同期しなくなって、各通信装置の送信期間を時間分離することができないことから、本発明（請求項１）には、無線通信装置自身の時計の時刻と受信した送信時刻に基づき、受信した定期送信情報から得られる定期送信期間とランダム送信の実行を禁止するランダム送信禁止期間とを同期させる同期制御手段が設けられている。
【手続補正５】
【補正対象書類名】明細書
【補正対象項目名】００１２
【補正方法】変更
【補正の内容】
【００１２】
このため、本発明（請求項１）の無線通信装置によれば、定期送信を行う外部の通信装置の定期送信期間を確保して、無線通信装置自身が外部の通信装置の定期送信期間中にデータ送信を開始するのを防止し、定期送信による重要データの定期送信を優先的に実行できるようになる。
【手続補正６】
【補正対象書類名】明細書
【補正対象項目名】００１３
【補正方法】変更
【補正の内容】
【００１３】
また特に、本発明（請求項１）では、外部の通信装置が定期送信を行う定期送信期間中に、本発明（請求項１）の無線通信装置によるランダム送信を禁止することから、全通信装置に送信時間を割り当てるＴＤＭＡ方式の無線通信システムのように、各通信装置に設けられた時計の時刻を高精度に同期させる必要はなく、その時刻同期の精度が低くてもデータ衝突が発生し難い無線通信システムを実現できる。
また、本発明（請求項１）によれば、無線通信装置自身でランダム送信禁止期間を設定している。つまり、ＣＳＭＡ方式で採用されているＮＡＶ期間（送信禁止期間）の通知と反映の手法を応用することで、ランダム送信禁止期間を設定するのである。このようにすれば、無線通信装置自身でランダム送信禁止期間を適正に設定できるので、定期送信とランダム送信のデータの衝突を良好に回避することができる。
また、請求項２に記載の無線通信システムによれば、所定の通信チャンネルを利用して、予め決められた定期送信一周期内に割り当てられた期間を利用して無線送信を行う定期送信機能を有し、定期送信期間を表す定期送信情報に送信時刻を付与してなる送信データの定期送信を行う第１通信装置と、データの送信要求が発生した際、前記通信チャンネルが空いているか否かを判定して、前記通信チャンネルが空いているときに無線によりランダム送信を行うランダム送信機能を有し、ランダム送信の実行を禁止するランダム送信禁止期間を設定してランダム送信の実行を禁止する第２通信装置と、が混在する無線通信システムであって、第２通信装置は、第１通信装置から定期送信される送信データを受信する受信手段と、自身の時計の時刻と受信手段より受信した送信時刻に基づき、受信した定期送信情報から得られる定期送信期間とランダム送信禁止期間とを同期させる同期制御手段と、ランダム送信禁止期間を設定するランダム送信禁止期間設定手段と、同期制御手段により同期させランダム送信禁止期間設定手段により設定したランダム送信禁止期間においてランダム送信の実行を禁止するランダム送信禁止手段とを備えることを特徴とする。
ここで、請求項２に記載の無線通信システムにおいて、各通信装置に設けられた時計の時刻にずれが生じると、定期送信期間とランダム送信禁止期間とが同期しなくなって、各通信装置の送信期間を時間分離することができないことから、本発明の無線通信システムでは、第２通信装置に、自身の時計の時刻と受信した送信時刻に基づき、受信した定期送信情報から得られる定期送信期間とランダム送信禁止期間とを同期させる同期制御手段が設けられている。
このため、本発明（請求項２）の無線通信システムによれば、定期送信を行う第１通信装置の定期送信期間を確保して、第２通信装置が第１通信装置の定期送信期間中にデータ送信を開始するのを防止し、定期送信による重要データの定期送信を優先的に実行できるようになる。
また特に、本発明（請求項２）では、第１通信装置が定期送信を行う定期送信期間中に、第２通信装置によるランダム送信を禁止することから、全通信装置に送信時間を割り当てるＴＤＭＡ方式の無線通信システムのように、各通信装置に設けられた時計の時刻を高精度に同期させる必要はなく、その時刻同期の精度が低くてもデータ衝突が発生し難い無線通信システムを実現できる。
また、本発明（請求項２）によれば、第２通信装置側でランダム送信禁止期間を設定している。つまり、ＣＳＭＡ方式で採用されているＮＡＶ期間（送信禁止期間）の通知と反映の手法を応用することで、ランダム送信禁止期間を設定するのである。このようにすれば、第２通信装置側でランダム送信禁止期間を適正に設定できるので、定期送信とランダム送信のデータの衝突を良好に回避することができる。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
一方、同期制御手段は、請求項３に記載のように、請求項１に記載の無線通信装置において、無線通信装置自身の時計から受信時刻を読み出し、その読み出した受信時刻と受信した送信時刻との差に基づき、自身の時計の時刻を補正するようにするとよい。
【手続補正１０】
【補正対象書類名】明細書
【補正対象項目名】００１７
【補正方法】変更
【補正の内容】
【００１７】
そして、このようにすれば、外部の通信装置に設けられた時計の時刻と無線通信装置自身に設けられた時計の時刻とを一致させて、外部の通信装置側の定期送信期間と無線通信装置側のランダム送信禁止期間とを同期させることができるようになる。
また、請求項４に記載のように、請求項２に記載の無線通信システムにおいて、第１通信装置は、自身の時計から読み出した送信時刻を定期送信情報に付与する送信時刻付与手段を有し、第２通信装置は、自身の時計から受信時刻を読み出し、その読み出した受信時刻と受信した送信時刻との差に基づき、時計の時刻を補正する時刻補正手段を有するようにするとよい。
そして、このようにすれば、第1通信装置に設けられた時計の時刻と第２通信装置に設けられた時計の時刻とを一致させて、第1通信装置側の定期送信期間と第２通信装置側のランダム送信禁止期間とを同期させることができるようになる。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】削除
【補正の内容】
【手続補正４１】
【補正対象書類名】明細書
【補正対象項目名】００４８
【補正方法】削除
【補正の内容】
【手続補正４２】
【補正対象書類名】明細書
【補正対象項目名】００４９
【補正方法】変更
【補正の内容】
【００４９】
次に、第１通信装置及び第２通信装置に設けられる時計は、請求項５に記載のように、請求項２または４に記載の無線通信システムにおいて、定期送信の一周期の整数倍の時間を一周期として時刻を計時するよう構成するとよい。
【手続補正４３】
【補正対象書類名】明細書
【補正対象項目名】００５１
【補正方法】変更
【補正の内容】
【００５１】
また、このように、時計による時刻の計時周期を、定期送信の周期の整数倍にするには、請求項６に記載のように、請求項５に記載の無線通信システムにおいて、第１通信装置には、他の第１通信装置と共通の外部信号に基づき、定期送信の一周期の整数倍の時間をカウントして、自身の時計をリセットする第１計時制御手段を設け、第２通信装置には、自身の時計による計時動作を監視して、定期送信の一周期の整数倍の時間を計時する度に当該時計をリセットする第２計時制御手段を設けるようにするとよい。
【手続補正４４】
【補正対象書類名】明細書
【補正対象項目名】００５３
【補正方法】変更
【補正の内容】
【００５３】
また、請求項７に記載のように、無線通信システムにおいて、第１通信装置に設ける第１計時制御手段は、外部信号が入力されないときには、自身の時計による計時動作を監視して、定期送信の一周期の整数倍の時間を計時する度に当該時計をリセットするように構成してもよい。
【手続補正４５】
【補正対象書類名】明細書
【補正対象項目名】００５４
【補正方法】変更
【補正の内容】
【００５４】
そして、このようにすれば、第１通信装置において、外部信号が入力されない場合であっても、自身の時計を、定期送信の一周期の整数倍の周期でリセットできるようになる。
次に、請求項８に記載の発明は、上述した請求項２、４乃至７の何れか一つに記載の無線通信システムにおいて、定期送信機能を有する第１通信装置として用いられる通信装置に関する発明である。
【手続補正４６】
【補正対象書類名】明細書
【補正対象項目名】００５５
【補正方法】変更
【補正の内容】
【００５５】
そして、請求項８に記載の通信装置においては、記憶手段に、定期送信期間を表す定期送信情報が記憶されており、定期送信許可手段が、その記憶された定期送信情報に基づき、データ送信手段に対し変調処理手段への送信データの出力を許可する定期送信期間を決定し、その定期送信期間をデータ送信手段に通知する。
【手続補正４７】
【補正対象書類名】明細書
【補正対象項目名】００５８
【補正方法】削除
【補正の内容】
【手続補正４８】
【補正対象書類名】明細書
【補正対象項目名】００５９
【補正方法】削除
【補正の内容】
【手続補正４９】
【補正対象書類名】明細書
【補正対象項目名】００６０
【補正方法】削除
【補正の内容】
【手続補正５０】
【補正対象書類名】明細書
【補正対象項目名】００６１
【補正方法】削除
【補正の内容】
【手続補正５１】
【補正対象書類名】明細書
【補正対象項目名】００６２
【補正方法】削除
【補正の内容】
【手続補正５２】
【補正対象書類名】明細書
【補正対象項目名】００６３
【補正方法】削除
【補正の内容】
【手続補正５３】
【補正対象書類名】明細書
【補正対象項目名】００６４
【補正方法】削除
【補正の内容】
【手続補正５４】
【補正対象書類名】明細書
【補正対象項目名】００６５
【補正方法】削除
【補正の内容】
【手続補正５５】
【補正対象書類名】明細書
【補正対象項目名】００６６
【補正方法】削除
【補正の内容】
【手続補正５６】
【補正対象書類名】明細書
【補正対象項目名】００６７
【補正方法】削除
【補正の内容】
【手続補正５７】
【補正対象書類名】明細書
【補正対象項目名】００６８
【補正方法】削除
【補正の内容】
【手続補正５８】
【補正対象書類名】明細書
【補正対象項目名】００６９
【補正方法】削除
【補正の内容】
【手続補正５９】
【補正対象書類名】明細書
【補正対象項目名】００７０
【補正方法】変更
【補正の内容】
【００７０】
次に、請求項９に記載の発明は、上述した請求項２、４乃至７の何れか一つに記載の無線通信システムにおいて、ランダム送信機能を有する第２通信装置として用いられる通信装置に関する発明である。
【手続補正６０】
【補正対象書類名】明細書
【補正対象項目名】００７１
【補正方法】変更
【補正の内容】
【００７１】
そして、請求項９に記載の通信装置においては、記憶手段に、定期送信機能を有する第１通信装置の定期送信期間を表す定期送信情報が記憶されており、ランダム送信禁止手段が、その記憶された定期送信情報に基づき、データ送信手段が変調手段へ送信データを出力するのを禁止するランダム送信禁止期間を決定し、そのランダム送信禁止期間をデータ送信手段に通知する。
【手続補正６１】
【補正対象書類名】明細書
【補正対象項目名】００７３
【補正方法】変更
【補正の内容】
【００７３】
従って、この通信装置においては、他の通信装置に対しデータ送信を行うランダム送信期間が、記憶手段に記憶された定期送信情報に基づき制限されることになり、上述した請求項８に記載の定期送信機能を有する通信装置と組み合わせて使用することにより、本発明（請求項２、請求項４〜請求項７）の無線通信システムを構築することができるようになる。
【手続補正６２】
【補正対象書類名】明細書
【補正対象項目名】００７４
【補正方法】変更
【補正の内容】
【００７４】
次に、請求項１０に記載の通信装置においては、請求項９に記載の通信装置において、データ受信手段にて、他の通信装置から送信された定期送信情報が抽出されると、その定期送信情報を記憶手段に記憶する定期送信情報登録手段が設けられている。
【手続補正６３】
【補正対象書類名】明細書
【補正対象項目名】００７５
【補正方法】削除
【補正の内容】
【手続補正６４】
【補正対象書類名】明細書
【補正対象項目名】００７７
【補正方法】削除
【補正の内容】
【手続補正６５】
【補正対象書類名】明細書
【補正対象項目名】００７８
【補正方法】削除
【補正の内容】
【手続補正６６】
【補正対象書類名】明細書
【補正対象項目名】００７９
【補正方法】削除
【補正の内容】
【手続補正６７】
【補正対象書類名】明細書
【補正対象項目名】００８０
【補正方法】削除
【補正の内容】
【手続補正６８】
【補正対象書類名】明細書
【補正対象項目名】００８１
【補正方法】削除
【補正の内容】
【手続補正６９】
【補正対象書類名】明細書
【補正対象項目名】００８２
【補正方法】削除
【補正の内容】
【手続補正７０】
【補正対象書類名】明細書
【補正対象項目名】００８３
【補正方法】削除
【補正の内容】
【手続補正７１】
【補正対象書類名】明細書
【補正対象項目名】００８４
【補正方法】削除
【補正の内容】
【手続補正７２】
【補正対象書類名】明細書
【補正対象項目名】００８５
【補正方法】削除
【補正の内容】
【手続補正７３】
【補正対象書類名】明細書
【補正対象項目名】００８６
【補正方法】削除
【補正の内容】
【手続補正７４】
【補正対象書類名】明細書
【補正対象項目名】００８７
【補正方法】削除
【補正の内容】
【手続補正７５】
【補正対象書類名】明細書
【補正対象項目名】００８８
【補正方法】削除
【補正の内容】